(57)【要約】      （修正有）【課題】積木の形、数量、角度、さらに困難度の異なる四面構成及び三面構成のピラミッドの組み立てを実現して、知能能力を引上げ、また娯楽効果を高める。【解決手段】１２個の形の異なる積木を備え、各積木は３〜５個の球体の組合せで、球体の総数が５５個の構成で、正方形に四辺に５個ずつ、最下層２５個の配列により、４面構成のピラミッドを組み立てる。さらに、同じ積木を三組ずつ、積木の総数３６個、球体の総数１６５個の構成で、三角形に三辺に９個ずつ、最下層総数４５個の配列により、３面構成のピラミッドを組合せる。【選択図】図８
0003113955.tif 000002
【実用新案登録請求の範囲】
【請求項１】
１２個の形の異なる積木Ａ、Ｂ、Ｃ、Ｄ、Ｅ、Ｆ、Ｇ、Ｈ、Ｉ、Ｊ、Ｋ、Ｌを備え、前記各積木は３〜５個の球体の組合せからなり、前記球体の総数は５５個で構成され、
前記積木Ａは４個の球体により「Ｌ」の形に形成され、１番目から３番目の球体は右から左へ水平方向に連接され、４番目の球体は３番目の球体に垂直方向に連接され、
前記積木Ｂは５個の球体により「Ｐ」の形に形成され、１番目から３番目の球体は右から左へ水平方向に連接し、４番目、５番目の球体は右から左へ水平方向に連接され、かつ１番目、２番目の球体と垂直方向に連接され、
前記積木Ｃは５個の球体により「Ｌ」の形に形成され、１番目から４番目の球体は右から左へ水平方向に連接され、５番目の球体は４番目の球体に垂直方向に連接され、
前記積木Ｄは５個の球体により「┴」の形に形成され、１番目から４番目の球体は右から左へ水平方向に連接され、５番目の球体は３番目の球体に垂直方向に連接され、
前記積木Ｅは５個の球体により形成され、１番目から３番目の球体は右から左へ水平方向に連接され、４番目の球体は１番目の球体に垂直方向に連接され、４番目と５番目の球体は左から右へ水平方向に連接され、
前記積木Ｆは３個の球体により「┌」の形に形成され、１番目と２番目の球体は右から左へ水平方向に連接され、３番目と２番目の球体は垂直方向に連接され、
前記積木Ｇは５個の球体により「┌」の形に形成され、１番目から３番目までの球体は右から左へ水平方向に連接され、５番目と４番目の球体は上下の垂直方向に連接され、
前記積木Ｈは５個の球体により「Ｗ」の形に形成され、１番目と２番目の球体は上下の垂直方向に連接され、２番目と３番目は右から左へ水平方向に連接され、３番目と４番目の球体は上下の垂直方向に連接され、４番目と５番目の球体は右から左へ水平方向に連接され、
前記積木Ｉは５個の球体により「┌」の形に形成され、１番目から３番目までの球体は右から左へ水平方向に連接し、四番目の球体は３番面の球体に垂直方向に連接され、５番目の球体は１番目の球体に垂直方向に連接され、
前記積木Ｊは４個の球体により「―」の形に形成され、１番目から４番目までの球体は右から左へ水平方向に連接され、
前記積木Ｋは４個の球体により「ロ」の形に形成され、１番目と２番目の球体は右から左へ水平方向に連接され、１番目・２番目と３番目・４番目の球体の間は垂直方向に連接され、
前記積木Ｌは５個の球体により「十」の形に形成され、１番目から３番目の球体は右から左へ水平方向に連接され、４番目の球体は２番目の球体に垂直方向に連接され、５番目の球体は直接２番目の球体の下に連接される、
ことを特徴とする組立式球体積木。
【請求項２】
正方形の配列で四辺に５個ずつ、全部で２５個の定位用凹穴を有する台座を備え、１２個の積木は前記台座上に４面構成のピラミッド形に組み立てられる請求項１に記載の組立式球体積木。
【請求項３】
長方形の配列で縦に１１個ずつ、横に５個ずつ、全部で５５個の定位用凹穴を有する台座を備え、１２個の積木は前記台座上に単層の長方形に組み立てられる請求項１に記載の組立式球体積木。
【請求項４】
三角形の配列で三辺に１０個ずつ、全部で５５個の定位用凹穴を有する台座を備え、１２個の積木は前記台座上に単層の三角形に組み立てられる請求項１に記載の組立式球体積木。
【請求項５】
５５個の定位用凹穴及び１本の凸柱を有する台座を備え、１２個の積木は前記台座上に単層の薄板形に組み立てられる請求項１に記載の組立式球体積木。
【請求項６】
１２個の積木はそれぞれ、各球体間が、ほぞとほぞ穴との嵌め込みにより、又は一体射出成形により、又は接着結合により組み合わせられる請求項１に記載の組立式球体積木。
【請求項７】
請求項１の１２個の積木のうち７個の積木Ａ・Ｂ・Ｃ・Ｆ・Ｉ・Ｊ・Ｋ、球体の総数が３０個の構成により、正方形に四辺に４個ずつの配列で、最下層の球体総数を１６個とする４面構成のピラミッド形に組み立てられることを特徴とする組立式球体積木。
【請求項８】
正方形の配列で四辺に４個ずつ、全部で１６個の定位用凹穴を有する台座を備え、７個の積木は前記台座上に４面構成のピラミッド形に組み立てられる請求項７に記載の組立式球体積木。
【請求項９】
長方形の配列で縦に６個ずつ、横に５個ずつ、全部で３０個の定位用凹穴を有する台座を備え、７個の積木は前記台座上に単層の長方形に組み立てられる請求項７に記載の組立式球体積木。
【請求項１０】
請求項１の１２の積木を３組ずつ、積木総数３６個、球体総数１６５個の構成により、三角形に三辺に９個ずつの配列で、最下層の球体総数を４５個とする３面構成のピラミッド形に組み立てられることを特徴とする組立式球体積木。
【請求項１１】
三角形の配列で三辺に９個ずつ、全部で４５個の定位用凹穴を有する台座を備え、請求項１０の積木のうち、６個の積木が前記台座上に最下層の球体総数を４５個とする３面構成のピラミッド形に組み立てられる請求項１０に記載の組立式球体積木。
【考案の詳細な説明】
【技術分野】
【０００１】
本考案は、組立式球体積木に関し、特に、３〜５個の球体からなる複数の形の異なる積木の配列で、４面構成及び３面構成のピラミッド（錐形の立体造形）を組み立てる（心）ゲーム形式の組立式球体積木に関する。
【背景技術】
【０００２】
従来の「パズル」・「ｔａｍｇｒａｍ」の遊び方の難しさは異なるが、一種類の心ゲームに制限されている。「図形パズル」の変化は多種であるが、平面に制限されているので、難度を引上げることができない。このため、本願考案者は、各（ユーザーの）レベルと各年齢層に適用し、平面でありながら、立体的な変化効果を有する組合せ式の積木を開発した。この組合せ式の積木は特許文献１に記載されている。この積木では、１９個の積木と台座を備え、各積木を台座上に単層或いは複数層の配列で、円錐形のピラミッド等の立体造形を４面（構造）に組み立てる。
【特許文献１】台湾２０００年７月１１日に公布した第３９８３１３号「６０°、９０°と１２０°変化可能の組合せ式造形積木」
【考案の開示】
【考案が解決しようとする課題】
【０００３】
しかしながら、上記従来の積木では、ピラミッド（錐形の立体造形）を４面構造に組み立てるだけで、ピラミッドを３面（構造）にして組合せることまでは考慮されていないため、３面構成のピラミッドに組み立てることができないという問題がある。４面と３面とでは積木の数量、角度などが異なるので、組合せの困難度も異なることになる。特に、錐形のピラミッドを３面構造に組み立てる場合の積木の数量は４面より多くなるから、困難度は非常に高くなる。
【０００４】
本考案は、このような従来の課題に鑑みなされたもので、錐形の立体造形（ピラミッド）を、積木の形、数量、角度、組合せの困難度の異なる４面構成から３面構成に転換することのできる組立式球体積木を提供すること、を目的とする。
【課題を解決するための手段】
【０００５】
上記課題を解決するために、本考案の組立式球体積木は、１２個の形が異なる積木を備え、各積木は３〜５個の球体の組合せで、１２個の積木の球体の総数は５５個の構成である。積木の形は、次のとおりである。積木Ａは４個の球体より「Ｌ」の形を形成し、一番目から三番目の球体は右から左へ水平方向に連接し、四番目と三番目の間は垂直方向に連接する。積木Ｂは５個の球体より「Ｐ」の形を形成し、一番目から三番目の球体は右から左へ水平方向に連接し、四番目と五番目も右から左へ水平方向に連接し、ただし一番目・二番目と四番目・五番目の球体は垂直方向に連接する。積木Ｃは５個の球体より「Ｌ」の形を形成し、一番目から四番目の球体は右から左へ水平方向に連接し、五番目と四番目の間は垂直方向に連接する。積木Ｄは５個の球体より「┴」の形を形成し、一番目から四番目の球体は右から左へ水平方向に連接し、五番目と三番目の間は垂直方向に連接する。積木Ｅは５個の球体より形成し、一番目から三番目の球体は右から左へ水平方向に連接し、四番目と一番目は垂直方向、四番目と五番目は左から右へ水平方向に連接する。積木Ｆは３個の球体より「┌」の形を形成し、一番目と二番目の球体は右から左へ水平方向に連接し、三番目と二番目の球体は垂直方向に連接する。積木Ｇは５個の球体より「┌」の形を形成し、一番目から三番目までの球体は右から左へ水平方向に連接し、五番目と四番目の球体は上下の垂直方向に連接する。積木Ｈは５個の球体より「Ｗ」の形を形成し、一番目と二番目の球体は上下の垂直方向に連接し、二番目と三番目は右から左へ水平方向に連接し、三番目と四番目の球体は上下の垂直方向に連接し、四番目と五番目は右から左へ水平方向に連接する。積木Ｉは５個の球体より「┌」の形を形成し、一番目から三番目までの球体は右から左へ水平方向に連接し、四番目と三番目と四番目の球体は垂直方向に連接し、五番目と一番目は垂直方向に連接する。積木Ｊは４個の球体より「―」の形を形成し、一番目から四番目までの球体は右から左へ水平方向に連接する。積木Ｋは４個の球体より「ロ」の形を形成し、一番目と二番目の球体は右から左へ水平方向に連接し、一番目・二番目と三番目・四番目の球体の間は垂直方向に連接する。積木Ｌは５個の球体より「十」の形を形成し、一番目から三番目の球体は右から左へ水平方向に連接し、四番目の球体は二番目の球体は垂直方向に連接し、五番目の球体は直接二番目の球体の下に連接する。
【０００６】
この１２個の積木を利用して、四個の最下層を５個ずつ排列させ、最下層２５個の円錐形のピラミッドを四面に組合せる。この場合、上記の１２個の積木は定位用凹穴に５個ずつを四辺に排列し、全部２５個の平方排列の台座に、円錐形のピラミッドを四面に組合せる。また、上記の１２個の積木は定位用凹穴を縦１１個、横５個、全部５５個の長方形排列の台座に、単層の長方形を組合せる。さらに、上記の１２個の積木は定位用凹穴を三辺より１０個ずつ、全部５５個の三角形排列の台座に、単層の三角形を組合せる。またさらに、上記の１２個の積木は定位用凹穴を５５個及び１本の凸柱の台座に、単層の薄板形を組合せる。なお、上記の１２個の積木は下記の中の一つの方法で組合せ、球体の間はほぞをほぞ穴にはめ込むより、球体の間は一体射出成形より、接着結合する。
【０００７】
また、本考案の組立式球体積木は、上記Ａ・Ｂ・Ｃ・Ｆ・Ｉ・Ｊ・Ｋの７個の積木を総数３０個の球体で４個ずつを四辺に排列し、最下層総数１６個の円錐形のピラミッドを四面に組合せる。この場合、７個の積木は定位用凹穴に４個ずつを四辺に排列し、最下層総数１６個の円錐形のピラミッドを四面に組合せる。７個の積木は定位用凹穴に縦６個、横５個、総数３０個の長方形排列の台座に、単層の長方形を組合せる。
【０００８】
さらに、本考案の組立式球体積木は、上記１２個の積木を全部で３組の使用より、積木総数３６個、球体総数１６５個において、三辺９個ずつ、最下層総数４５個の円錐形のピラミッドを三面に組合せる。この場合、６個の積木は定位用凹穴において、三辺９個ずつ、最下層総数４５個の台座に、円錐形のピラミッドを三面に組合せる。
【考案の効果】
【０００９】
本考案の組立式球体積木は、上記構成を有し、１２個の形の異なる積木を３種類の異なる台座に配列して、単層の四角形、単層の長方形、単層の三角形に組合せることができる他、台座上に、４面構成のピラミッド（円錐形の立体造形）に組み立てることができる。１２個の形の異なる積木を上記の形の異なる台座に配置することより、平面配列から立体配列に転換する遊び方は、多重変化と能力開発の効果を達成することができる。
【００１０】
また、本考案の組立式球体積木は、１２個の積木の中から７個の積木を台座に配列して、４面構成のピラミッド形（円錐形の立体造形）に或いは単層の長方形に組み立てることができる。これにより、心ゲームの遊び方の選択がより多くなって、ゲームの遊び手により多くの想像空間を与えることができる。
【００１１】
さらに、本考案の組立式球体積木は、上記３組の１２個の形の異なる積木を台座に配列して、３面構成のピラミッド形（円錐形の立体造形）に組み立てることができる。この遊び方は角度また積木の数量も異なっているので、困難度も高くなり、積木の遊び方を最大限に引き出すことができる。
【００１２】
したがって、本考案によれば、積木の形、数量、角度、さらに困難度の異なる四面構成及び三面構成のピラミッドの組み立てを実現して、知能能力を引上げ、また娯楽効果を高めることができる。
【考案を実施するための最良の形態】
【００１３】
以下、本考案の実施の形態を図面を参照しながら説明する。図１に示すように、この組立式球体積木は１２個の形の異なる積木Ａ・Ｂ・Ｃ・Ｄ・Ｅ・Ｆ・Ｇ・Ｈ・Ｉ・Ｊ・Ｋ・Ｌからなり、これらの積木はそれぞれ３〜５個の球体１０の組合せで、１２個の積木の総数は５５個で構成される。
【００１４】
各積木の形は次のとおりである。なお、各積木はそれぞれ、各球体１０間がほぞ１１とほぞ穴１２のはめ込みにより、又は接着（例えばハイガーボンド）固定により、又は一体射出成形により結合される。
【００１５】
積木Ａは４個の球体より「Ｌ」の形を形成し、一番目から三番目の球体は右から左へ水平方向に連接し、四番目と三番目の間は垂直方向に連接する。積木Ｂは５個の球体より「Ｐ」の形を形成し、一番目から三番目の球体は右から左へ水平方向に連接し、四番目と五番目も右から左へ水平方向に連接し、ただし一番目・二番目と四番目・五番目の球体は垂直方向に連接する。積木Ｃは５個の球体より「Ｌ」の形を形成し、一番目から四番目の球体は右から左へ水平方向に連接し、五番目と四番目の間は垂直方向に連接する。積木Ｄは５個の球体より「┴」の形を形成し、一番目から四番目の球体は右から左へ水平方向に連接し、五番目と三番目の間は垂直方向に連接する。積木Ｅは５個の球体より形成し、一番目から三番目の球体は右から左へ水平方向に連接し、四番目と一番目は垂直方向、四番目と五番目は左から右へ水平方向に連接する。積木Ｆは３個の球体より「┌」の形を形成し、一番目と二番目の球体は右から左へ水平方向に連接し、三番目と二番目の球体は垂直方向に連接する。積木Ｇは５個の球体より「┌」の形を形成し、一番目から三番目までの球体は右から左へ水平方向に連接し、五番目と四番目の球体は上下の垂直方向に連接する。積木Ｈは５個の球体より「Ｗ」の形を形成し、一番目と二番目の球体は上下の垂直方向に連接し、二番目と三番目は右から左へ水平方向に連接し、三番目と四番目の球体は上下の垂直方向に連接し、四番目と五番目は右から左へ水平方向に連接する。積木Ｉは５個の球体より「┌」の形を形成し、一番目から三番目までの球体は右から左へ水平方向に連接し、四番目と三番目の球体は垂直方向に連接し、五番目と一番目は垂直方向に連接する。積木Ｊは４個の球体より「―」の形を形成し、一番目から四番目までの球体は右から左へ水平方向に連接する。積木Ｋは４個の球体より「ロ」の形を形成し、一番目と二番目の球体は右から左へ水平方向に連接し、一番目・二番目と三番目・四番目の球体の間は垂直方向に連接する。積木Ｌは５個の球体より「十」の形を形成し、一番目から三番目の球体は右から左へ水平方向に連接し、四番目の球体は二番目の球体の垂直方向に連接し、五番目の球体は直接二番目の球体の下に連接する。
【００１６】
上記１２個の積木は異なる造形の台座に配置されて、異なる平面又は立体形態に配列され、さらに３組の同じ積木の配列により、さらに異なる平面又は立体形態を形成することができる。また、１２個の積木の中から７個の積木を配列することより、異なる平面又は立体形態が形成される。その平面又は立体形態は次のとおりである。
【００１７】
図２に示すように、１２個の積木は台座２０の上で、円錐形のピラミッドを四面構成にして配列することができる。この台座２０の上には、正方形に四辺に５個ずつ、全部で２５個の配列の定位用凹穴２１を備える。この場合、定位用凹穴２１の形状は上から見下ろした時は円形で、断面は半円形の形が良い。
【００１８】
図３に示すように、１２個の積木は台座２０の上に、単層の長方形に組合せることができる。この台座２０の上には、長方形に縦１１個、横５個、全部で５５個の配列の凹穴２２を備える。この場合、定位用凹穴２１の形状は上から見下ろした時は円形で、断面は半円形の形が良い。
【００１９】
図２及び図３に示す積木の配置形態は同じ長方形の台座２０の上で実施することができる。台座２０は一つの上蓋２３と一つの下の受け台２４が結合され、上蓋２３及び下の受け台２４の上にそれぞれ、定位用凹穴２１、２２が設けられる。これにより、ゲームの遊び手は上蓋２３及び下の受け台２４の上で、別々に４面構成のピラミッド及び単層の長方形を組み立てることができる。
【００２０】
図４に示すように、１２個の積木は台座３０の上に、円錐形のピラミッドを四面構成にして組合せることができる。この台座３０の上には、正方形に四辺に５個ずつ、全部で２５個の配列の定位用凹穴３１を備える。この場合、定位用凹穴３１の形は円形の窪み状である。
【００２１】
図５に示すように、１２個の積木は台座３０の上で、単層の三角形に組合せることができる。この台座３０の上には、三角形に三辺に１０個ずつ、全部で５５個の配列の定位用凹穴３２を備える。この場合、定位用凹穴３２の形は円形の窪み状である。
【００２２】
図４及び図５に示す積木の配置形態は同じ半円形の台座３０の上で実施することができる。台座３０は一つの上蓋３３と一つの下の受け台３４が結合され、上蓋３３及び下の受け台３４の上にそれぞれ、定位用凹穴３１、３２が設けられる。これにより、ゲームの遊び手は上蓋３３及び下の受け台３４の上で、別々に４面構成のピラミッド及び単層の三角形を組合せることができる。
【００２３】
図６に示すように、１２個の積木は台座４０の上に、円錐形のピラミッドを四面構成にして組合せることができる。この台座４０の上には、正方形に四辺に５個ずつ、全部で２５個の配列の定位用凹穴４１を備える。この場合、定位用凹穴４１の形は円形の窪み状である。
【００２４】
図７に示すように、１２個の積木は台座４０の上に、単層の薄板形に組合せることができる。この台座４０の上には、５５個の定位用凹穴４２及び１本の凸柱４３を備える。この場合、凸柱４３は台座４０と一体成形また台座４０に予め設置した挿入孔（図示省略）によって固定される。
【００２５】
図６及び図７に示す積木の配置形態は同じ薄板の台座４０の上で実施することができる。台座４０の頂面に定位用凹穴４１が設けられ、この面に１２個の積木を４面構成のピラミッドに組合せることができる。台座４０の背面に５５個の定位用凹穴４１及び１本の凸柱４３が設けられ、この面に１２個の積木を薄板形を組合せることができる。
【００２６】
図８に示すように、上記図１の１２個の積木Ａ〜Ｌを３組、積木総数３６個（１２個×３組＝３６個）、球体の総数１６５個（５５個×３組＝１６５個）の構成で、三角形に三辺に９個ずつ、最下層総数４５個の円錐形のピラミッドを三面構成にして組合せることができる。この場合、３６個の積木は、三角形に三辺に９個ずつ、総数４５個の定位用凹穴５１を持った台座５０上に配置され、三角形に配列される。
【００２７】
図９に示すように、上記図１で示したＡ、Ｂ、Ｃ、Ｆ、Ｉ、Ｊ、Ｋの７個の積木、総数３０個の球体１０を正方形に四辺に４個ずつ配列して、四面構成のピラミッドを組合せることができる。この場合、７個の積木は、正方形に四辺に４個ずつ、総数２０個の定位用凹穴４１を持った台座６０の上に配置され、四面構成のピラミッドに組み立てることができる。
【００２８】
図１０に示すように、上記７個の積木は、台座６０の上の、長方形に縦に６個ずつ、横に５個ずつの配列の定位用凹穴６２に配置されると、単層の長方形に配列することができる。
【００２９】
図９及び図１０に示す積木の配置形態は同じ薄板の台座６０の上で実施することができる。台座６０の頂面に定位用凹穴６１が設けられ、この面に７個の積木が円錐形のピラミッドを四面構成にして組合せることができる。台座６０の背面に３０個の定位用凹穴６２が設けられ、この面に７個の積木が単層の長方形に組み合わせることができる。
【００３０】
以上、図によって、本考案を詳しく説明した。ただし業者は本考案の要旨の範囲内で色々な変更を行うことができるが、その変更は本発明の範囲に含まれるものである。
【図面の簡単な説明】
【００３１】
【図１】本考案の一実施の形態における組立式球体積木の１２個の積木の構成を示す分解斜視図
【図２】同実施の形態の積木及び台座による第１の立体造形を示す一部分解斜視図
【図３】同実施の形態の積木及び台座による第２の立体造形を示す一部分解斜視図
【図４】同実施の形態の積木及び台座による第３の立体造形を示す一部分解斜視図
【図５】同実施の形態の積木及び台座による第４の立体造形を示す一部分解斜視図
【図６】同実施の形態の積木及び台座による第５の立体造形を示す一部分解斜視図
【図７】同実施の形態の積木及び台座による第６の立体造形を示す一部分解斜視図
【図８】同実施の形態の積木及び台座による第７の立体造形を示す一部分解斜視図
【図９】同実施の形態の積木及び台座による第８の立体造形を示す一部分解斜視図
【図１０】同実施の形態の積木及び台座による第９の立体造形を示す一部分解斜視図
【符号の説明】
【００３２】
１０  球体
１１  ほぞ
１２  ほぞ穴
２０  台座
２１、２２  定位用凹穴
２３  上蓋
２４  下の受け台
３０  台座
３１、  ３２  定位用凹穴
３３  上蓋
３４  下の受け台
４０  台座
４１、４２  定位用凹穴
５０  台座
５１  定位用凹穴
６０  台座
６１、  ６２  定位用凹穴
【図１】
0003113955.tif 000003
【図２】
0003113955.tif 000004
【図３】
0003113955.tif 000005
【図４】
0003113955.tif 000006
【図５】
0003113955.tif 000007
【図６】
0003113955.tif 000008
【図７】
0003113955.tif 000009
【図８】
0003113955.tif 000010
【図９】
0003113955.tif 000011
【図１０】
0003113955.tif 000012